(57)【特許請求の範囲】
【請求項１】
主に熱可塑性材料製の容器（３）の開口部（４）に取り付けるためのパイプ形ソケット（１、２）であって、
わずかな膨張能力しか有しない第１の熱可塑性材料から主として成り、第１外側リブおよび第２外側リブ（５、６）を有する第１端部を備える管状の第１部分（１）と、
第１の熱可塑性材料の膨張能力よりも大きい膨張能力を有する第２の熱可塑性材料から主として成る環状の第２部分（２）とを備え、
前記環状の第２部分（２）が、第１の直径の第１リムおよび第２の直径の第２リムを備え、第１の直径が第２の直径よりも小さく、
第２リムが容器（３）の開口部（４）の端部部分に材料接着によって連結されるように構成され、
第１および第２部分（１、２）のうちの一方を第１および第２部分（１、２）のうちの他方の周りに射出成型することによって、環状の第２部分（２）が、第１外側リブ（５）と第２外側リブ（６）の間で管状の第１部分（１）に第１リムによって材料接着式および確動ロッキング式に、連結され、
環状の第２部分（２）がベル型であり、内部側面を有し、
環状の第２部分（２）の第１リムと第２リムの間に配置された管状の第１部分（１）の第２外側リブ（６）が、環状の第２部分（２）の内部側面に溶接された可撓性の周縁リップ（７）を有し、
可撓性リップ（７）が環状の第２部分（２）の第２リムに向かって延び、それによって環状の第２部分（２）の大部分の内部側面が管状の第１部分（１）に覆われる、パイプ形ソケット（１、２）。
【請求項２】
環状の第２部分（２）の第１リムが、環状の第２部分（２）の内部側面に配置された放射状の突起（８）を有し、放射状の突起（８）が第１リブ（５）と第２リブ（６）の間の管状の第１部分（１）の材料と係合している請求項１に記載のパイプ形ソケット（１、２）。
【請求項３】
放射状の突起（８）が、環状の第２部分（２）に沿って軸方向に延び、環状の第２部分（２）の径方向平面ならびに軸方向平面での突起（８）の断面が、ほぼ台形の形状を有する請求項２に記載のパイプ形ソケット（１、２）。
【請求項４】
環状の第２部分（２）の第１リムが、半径方向内側に下がった勾配を有する傾斜部分（９）を有する請求項１に記載のパイプ形ソケット（１、２）。
【発明の詳細な説明】
【０００１】
【発明の属する技術分野】
本発明は、熱可塑性材料、特にポリエチレンから主として成る容器の開口部に連結されるパイプ形のソケットに関する。パイプ形ソケットは、わずかの膨張能力しか持たない熱可塑性材料製の管状の第１部分から主として成り、さらに第１部分の可塑性材料より大きな膨張能力を持つ熱可塑性材料製の環状の第２部分から成る。直径のより小さい第１リムの付いた環状の第２部分は、第１部分と第２部分のうちの一方を第１部分と第２部分のうちの他方の周りに射出成型することにより、第１部分を取り囲む２つの外側リブの間で第１部分に材料接着によりポジティブ・ロッキング式に連結され、直径のより大きい第２リムで材料接着によって容器開口部の縁部に留め付けられる。
【０００２】
【従来の技術】
前述の種類の装置は、例えばドイツ特許出願１９５  ３３  ９２０  Ａ１から知られている。そこに記載のソケットは、第１部分の外側リブと、半径方向外側に突き出た第２フランジの間に突き出ている、半径方向内側に突き出たフランジを有する、ほぼＳ字型の段差のある断面を持つ環状の第２部分を有する。容器開口部の直径は、内部から外部へと段階的に広くなっており、したがって、環状のフランジが容器の内側で半径方向内側に容器開口部内に突き出るようになっている。環状の第２部分の半径方向外側の第２フランジは、材料接着によってこの環状のフランジに締め付けられている。材料接着の種類は、ここでは開示されていない。熱を加えて融着する場合は、互いに接触する第２の環状フランジと開口部内のフランジの半径方向の各表面に軸方向の圧力を加えることが必要になる。そうした場合、開口部内のフランジが、またリングの第２フランジも曲がるという危険を伴うことになる。接着による結合には、材料、労力を多く使う接着剤や接合剤の使用が必要になる。容器にガソリンやディーゼル燃料等の燃料が入っているとき、環状の第２部分の内部側面のむき出しの部分が燃料と接触すると、膨張する危険性がある。このことは、環状の第２部分の内部側面にもたれている第１部分の外側のリブが破れ、さらに、燃料がリングの半径方向内側第１フランジと環状の第１部分の軸方向内側リブとの間に浸透し、直接管状の第１部分に向かって膨張が進み、それによってついに第１部分と第２部分の間の連結が離れたり、少なくとも漏出が始まり、燃料が容器から流れ出すこともありうるという危険が生じる。
【０００３】
【発明が解決しようとする課題】
２つの部分の連結が、膨張を引き起こす可能性のある液体、特にガソリンやディーゼル燃料等に接触している第２部分のプラスチック材料の膨張に耐えることができ、第２部分と容器の間の連結を、熱または溶接による連結として、確実に行うことができる、前記のような種類のパイプ形ソケットを提供することが、本発明の目的である。
【０００４】
【課題を解決するための手段】
本発明によれば、この目的は、第２部分がほぼベル型であり、そのリムの間に位置する外側リブが第２部分の内部側面に溶接された可撓性の周縁リップ（ｌｉｐ）を備え、リップが第２部分の第２リムへと延び、第２部分の内部側面の大部分が、第１部分によって覆われていることで達成される。
【０００５】
２つの部分を持つこの実施形態において、第１部分の軸方向内向きに配置された外側リブの延長部を形成するリップは、まず容器内に入れられた燃料と接触している第２部分の内部側面のより大きな部分をさらに保護する。燃料等の液体と接触している第２部分がまだ膨張できるように、リップは、第２部分の内部側面のより小さな部分を露出したままにしている。しかし、これにより第２部分内が破れるという危険性なしに、ほぼ自由に露出している第２部分の外側に向かって最初に膨張が起こる。リップが可撓性であるので、また、破れることなく第２部分の内部側面に向かって膨張に屈して降伏することもできる。したがって、燃料は、内側リブの破れの場合のように、外側リブの間にさらに浸透することはできない。より大きい直径を有する環状の第２部分のリムの端面と容器内の開口部の端部部分の外側側面の間では、例えば突合せ溶接によって、溶接または熱による接合を簡単に行うことができる。その際、より大きい直径を有するリムの端面が、容器の縁部が変形することなく容器の外部側面に押し付けられる。容器の縁部の、したがって環状の第２部分のリムがはめ込まれる容器の縁部の半径方向内側のより薄いフランジの、直径をもつショルダは、第２部分が容器の方向に半径方向に広がるのでなくすことができる。第２部分の内部側面の小さい部分をリップによって覆わないことは、より大きい直径を有する第２部分のリムを容器の外部側面に押し付けることによって溶接を行うときに生じる溶接ビードが妨げられることなく膨張することができるという利点がある。
【０００６】
好ましくは、第２部分の第１リムの内部側面は、第１部分の材料を外側リブの間に係合する放射状の突起を備える。これによって、２つの部分の間に追加のポジティブ（確動）・ロッキング回転固定作用が生じ、そのため、２つの部分間の連結は、管状の第１部分の長手方向の中心軸まわりに偶発的なねじりが生じた場合、第２部分と容器の間よりも２つの部分間のほうが高くなる、ねじり力に耐えることができる。
【０００７】
第２部分上の突起が軸方向に延びているとき、およびその半径方向（横方向）部分ならびに軸方向の部分が、ほぼ台形状の形状を有するときは、さらに有利である。この形状にすると、より小さい直径を有する環状の第２部分のリムの周りの射出成型を行う際に、第１部分の型内での成型中に、第１部分の材料が、泡を形成せずに突起の周りにしっかりと流入することができる。
【０００８】
さらに、第２部分の第１リムは、半径方向内側に下がった傾斜部分を有してもよい。この傾斜部分によって、傾斜部分に軸方向に沿って型内に射出される第１部分の材料の圧力が、第２部分を型の内部側面に確実に押し付ける半径方向成分を備えることができ、第１部分の射出成型中に第２部分が軸方向に容易に変形しにくくなる。
【０００９】
【発明の実施の形態】
図１〜６は、主として熱可塑性材料、特にポリアミド製の管状の第１部分１および、主として熱可塑性材料、特にポリエチレン製の、この場合高密度ポリエチレン（ＨＤＰＥ）製の環状の第２部分２から成るパイプ形ソケットを示す。部分１および部分２は両方とも、繊維ガラス粒子および／または炭素粒子、または同様のもので強化することができる。好ましくは、部分１は補強され、部分２は強化されない。別法として、部分１は強化ＨＤＰＥであってもよく、部分２は強化なしのＨＤＰＥであってもよい。全ての場合、部分１は、ほとんど膨張することができず（極めて低い膨張能力を有する）、部分２は、ガソリン、ディーゼル燃料、または他の液体等の燃料によってより強く膨張することができる。
【００１０】
ソケットは、容器３の開口部４の周りに配置されるように溶接接合によって容器３の外部側面と連結されている。容器３は、主として熱可塑性材料、特にポリエチレン製であり、ここに記載の実施形態では、自動車の燃料タンクである。部分１は、部分的にしか図示されていない。図示されない部分は、部分１の図示された部分を真直ぐにまたは斜めに延長したものでよく、例えば、プラグ接続によって、またはホースクランプによって、ホースをそれに連結するような形状でもよい。部分１は、周囲に延びる２つの外側リブ５および６を有する。ここで外側リブ６は、可撓性である周縁リップ７によってほぼ円錐状に延びている。外側リブ６は、容器３に向かって延び、この方向に広がっている。
【００１１】
環状の第２部分２は、ほぼベル型であり、容器３から離れたリムの内部側面に半径方向の突起８を有する。突起８は、このリムの半径方向内側に下がった傾斜部分９上をほぼ軸方向に延びる。突起８の軸断面および横（半径方向）断面は、ほぼ台形状の形状である。例えば、図４および６参照のこと。
【００１２】
まず最初に、部分２を、射出成型法によって型内で製作する。次に、部分１も、射出成型法によって、部分２を受けた型内で製作し、同時に、部分２の内部側面の周りに射出成型する。それによって、容器３から離れたところに位置する、より小さい直径を有する第２部分のリムが、外側リブ５と６の間の第１部分１を取り囲み、材料接着によって部分１と連結される。部分１を部分２の周りに射出成型する際、同時に、突起８が部分１の溶融材料内に埋め込まれる。凝固した状態では、部分１の材料に係合している突起８は、その後、部分１および２の互いに対する偶発的なねじりに対する回転固定作用を提供する。部分１を部分２の周りに射出成型する際、型内に軸方向上から射出される部分１の材料の圧力により（図１および２）、部分２は、傾斜部分９のために型の内部側面に半径方向外側にきつく押し付けられ、そのため、部分２は軸方向の射出圧力成分によって容易に変形しない。
【００１３】
部分１を部分２に射出成型する場合、第２部分２の内部側面に連結（材料接着）されており、円周方向に延びている可撓性のリップ７は、第２部分２の内部側面のかなりの部分を覆う。一方、部分２は、その上端を除いて半径方向外側にほぼ露出する。
【００１４】
事前に加工された部分２の周りの内部側面に部分１を射出成型する代わりに、部分１の周りの外部側面に部分２を射出成型することも可能である。
【００１５】
２つの部分１および２が材料接着によって連結された後で、端面が容器３と対向している部分２を、開口部４から半径方向に離れた開口部の端部内で、容器３の外部側面に溶接または融着させる。溶接接合をするためには、熱反射板による突合せ溶接法を使用する。これは、加熱された状態の金属板が部分２の端面と容器３の外部側面の間に配置され、それにより連結すべき表面が溶融するようにして行われる。つづいて、加熱された板が取り除かれる。次に、部分２の端面と容器３の外部側面が溶融した状態で互いに押し付けられる。リップ７には、それと部分２の端面の間の狭い環状の表面があるので、部分２を容器３上に溶接する間に生じた溶接ビードは、半径方向外側だけでなく、半径方向内側にもそれることがある。突合せ溶接法の代わりに、摩擦溶接法や超音波溶接法などの他の溶接法を使用することも可能である。
【００１６】
部分１の一端は、容器３の開口部４内に突き出ているが、その外部側面と開口部４の間に小さい中間空間を残している。この連結では、図１〜６の図面が約５対１の倍率に対応することに注意されたい。したがって実際の寸法は、図示したものよりもかなり小さい。部分１の端部と開口部４の間に隙間があるため、容器３から出た燃料が、リップ７と容器３の外部側面の間にある部分２の内部側面の軸方向の狭い環状の表面に到達してしまう可能性がある。部分１よりも大きい膨張能力を有する部分２の材料がガソリンやディーゼル燃料と接触して膨張し、かつ部分２がその半径方向外側で露出している一方、その内部側面が大部分覆われているため、膨張は、半径方向内側よりも外側により強く作用することになる。可撓性のリップ７は、破れることなくリップ７の領域内で内向きに生じる膨張をもたらす。したがって、燃料は、リップ７の領域内にある部分２の内部側面と接触することができない。また、シーリング・リップ７と部分２の内部側面の間の接合面に沿った、より小さい直径を有する部分２のリムと部分１の間のポジティブ（確動）・ロッキングおよび材料接着領域の近傍に至る燃料の浸透は、その点までの燃料によって覆われなければならない移動経路が長いことによってほぼ防止されることになる。
【００１７】
部分２に破れが生じたり、極度な変形を受けるというような、燃料と接触している部分２の過度の膨張の危険性は、それによってほぼ除外される。したがって、部分１と２の間の、ならびに部分２と容器３の間の連結は、それによって無傷で密封された状態を保つ。
【００１８】
本発明の特定の実施形態を示し、発明の原理を詳細に説明し図示してきたが、本発明は、このような原理から逸脱することなく、他の方法で実施することも可能なことを理解されたい。
【図面の簡単な説明】
【図１】溶接接合によって容器開口部の端部に締め付けられた本発明によるパイプ型ソケットの軸断面図である。
【図２】図１のＩＩ−ＩＩ断面を示す図である。
【図３】図２のＩＩＩ−ＩＩＩ断面を示す図である。
【図４】パイプ型ソケットの内部部分を除く図１による配置を示す図である。
【図５】図４のＶ−Ｖ断面を示す図である。
【図６】図５のＶＩ−ＶＩ断面を示す図である。
【符号の説明】
１  パイプ形ソケットの管状部分
２  パイプ形ソケットの環状部分
３  容器
４  開口部
５  第１リブ
６  第２リブ
７  リップ
８  突起
９  傾斜部分
【図１】
0003589217.tif 000002
【図２】
0003589217.tif 000003
【図３】
0003589217.tif 000004
【図４】
0003589217.tif 000005
【図５】
0003589217.tif 000006
【図６】
0003589217.tif 000007